(57)【要約】【課題】折畳み扉が吊設されて開閉する上レールを分断し、この分断箇所に別のレールをクロスして設け、該レールにハンガーを吊下げて移動するように構成した折畳み扉装置であって、両折畳み扉を閉じた際に引き手框が互いに当接すると共に、幅が広くならないようにした折畳み扉の提供。【解決手段】折畳み扉先端側の引き手框１０を吊設する吊車１１には概略Ｌ型の吊具１２を設け、該吊具１２の水平固定部１４には上記引き手框上端を固定している。【選択図】        図１
2005023528.tif 000002
【特許請求の範囲】
【請求項１】
折畳み扉が吊設されて開閉する上レールを分断し、この分断箇所に別のレールをクロスして設け、該レールにハンガーを吊下げて移動するように構成した折畳み扉装置において、折畳み扉先端側の引き手框を吊設する吊車には概略Ｌ型の吊具を設け、該吊具の水平固定部には上記引き手框上端を固定したことを特徴とする折畳み扉装置。
【請求項２】
折畳み扉が吊設されて開閉する上レールを分断し、この分断箇所の上側に別のレールをクロスして設け、該レールにハンガーを吊下げて移動するように構成した折畳み扉装置において、折畳み扉先端側の引き手框を吊設する吊車には概略Ｌ型の吊具を設け、該吊具の水平固定部には上記引き手框上端を固定したことを特徴とする折畳み扉装置。
【請求項３】
上記概略Ｌ型の吊具形状を２段階Ｌ型とし、吊車から垂下して水平に屈曲した繋ぎ部は引き手框の継手軸部にネジ止めされ、該繋ぎ部の先端からＬ型に屈曲した水平固定部には引き手框上端を連結・固定した請求項１、又は請求項２記載の折畳み扉装置。
【発明の詳細な説明】
【０００１】
【発明の属する技術分野】
本発明は折畳み扉が吊設される上レールに対して別のレールがクロスして取付けられている場合の折畳み扉装置に関するものである。
【０００２】
【従来の技術】
図２は折畳み扉の上レール（イ）に対して別のレール（ロ）が垂直にクロスして設けられ、該レール（ロ）には人が載るハンガー（ハ）を吊設している場合を示している。該ハンガー（ハ）はレール（ロ）に沿って移動することが出来、例えば老人ホーム等では、一人で歩くことが出来ない老人を入浴させる場合、このようなハンガー（ハ）が利用される。
【０００３】
老人をベッドから車椅子に載せて浴室まで運び、浴室の浴槽に入れる際に体を車椅子から持上げる作業は大変であり、又体を洗った後に再び持上げて浴槽から出すことは容易でない。そこで、図２に示すようなハンガー（ハ）が使用されている。すなわち、ハンガー（ハ）に載せて浴室まで移動し、浴槽に降下させることが出来る。該ハンガー（ハ）は上下動操作が出来るように構成していて、体を洗ったならば、再びハンガー（ハ）に載せて運び出すことが出来、車椅子から直接持上げて浴槽に入れる場合に比較して楽である。
【０００４】
ところで、同図に示すようにハンガー（ハ）に吊り下げて運搬する場合、浴室の仕切りとなる箇所に装着されている折畳み扉（ニ）、（ニ）を折畳んで開き、レール（ロ）に沿って移動する。そこで、レール（ロ）は折畳み扉（ニ）、（ニ）が吊設させる上レール（イ）に対してクロスして設けられている。そして、間口（ホ）に装着されている折畳み扉（ニ）、（ニ）が伸展する場合には、中央部にて先端の引き手框が互いに当接して隙間が残らないように閉じられる。
【０００５】
この場合、レール（ロ）が中央に位置することで上レール（イ）は所定の長さ分が分断され、引き手框の上端に取着している吊車が移動する位置は規制される。しかし、対向する引き手框は互いに当接して間に隙間が残らないようにしなくてはならない。
【０００６】
図３は従来の折畳み扉装置における引き手框の形態を示している具体例である。上レール（イ）は中央部にて分断され、間にはレール（ロ）がクロスして取付けられている。左側の折畳み扉（ニ）は左側の上レール（イ）に吊設されて開閉し、同じく右側の折畳み扉（ニ）は右側の上レール（イ）に吊設されて開閉することが出来る。同図は両折畳み扉が伸展して間口（ホ）が閉じた場合であるが、各折畳み扉（ニ）、（ニ）の先端引き手框（ヘ）、（ヘ）は互いに接して間に隙間が残らないように成っている。
【０００７】
引き手框（ヘ）、（ヘ）の上端には吊車（ト）、（ト）が取着されているが、該吊車（ト）、（ト）は中央部で分断された上レール（イ）、（イ）の為に、中央まで移送することは出来ない。しかし、引き手框（ヘ）の先端は中央まで達して対向する引き手框（ヘ）の先端と互いに接することが必要である為に、その巾寸法Ｍは大きく成っている。すなわち、幅寸法を拡大する為に表面板（チ）、（チ）を引き手框（ヘ）に取付けて先端側へ延ばしている。従って、引き手框（ヘ）は幅広となって、閉じた際には互いに隙間なく当接するが、折畳み扉の外観は損なわれる。一方、折畳み扉（ニ）を折畳んだ場合の間口開口幅が小さくなる。
【０００８】
【発明が解決しようとする課題】
このように、折畳み扉を吊設する上レールに対して別のレールをクロスして設ける場合、該上レールが分断されることから互いに突き合わされる折畳み扉の引き手框には上記のごとき問題がある。本発明が解決しようとする課題はこの問題点であり、引き手框の幅が大きくならないようにした折畳み扉装置を提供する。
【０００９】
【課題を解決する為の手段】
本発明に係る折畳み扉の引き手框は、一般の折畳み扉の引き手框と同じ幅寸法と成っている。すなわち、従来のような表面板を取付ける必要はない。ここで、上レールには別のレールがクロスして交差する為に、該上レールは所定の長さにわたって分断されている。そこで、吊車は分断されている領域へ移動することは出来ない為に、概略Ｌ型の吊具を介して引き手框を吊設している。
【００１０】
このように、上記概略Ｌ型吊具にて吊設される為に、吊車が上レールの分断側先端に位置した状態で引き手框は分断された領域に位置することが出来、対向する別の折畳み扉の引き手框と隙間なく接することが可能となる。すなわち、引き手框は分断されている領域に位置し、その幅寸法を大きくする必要はない。以下、本発明に係る実施例を図面に基づいて詳細に説明する。
【００１１】
【実施例】
図１は本発明に係る折畳み扉装置を示している実施例である。該折畳み扉装置の基本的な構造は従来と同じであり、上レールの中央部には別のレールがクロスして設けられ、そして上レールには折畳み扉が対を成して吊設されている。同図の１ａ，１ｂは折畳み扉、２ａ，２ｂは上レール、３は別のレールを夫々表わしている。
【００１２】
ここで、上レール２の構造は特に限定しないが、同図に示す上レール２はレール本体４と走行レール部５ａ，５ｂから成り、該走行レール部５ａ，５ｂは概略門型断面を有すレール本体４の側片部６ａ，６ｂに着脱自在に取付けられている。すなわち、側片部に形成しているＬ型断面の受け部に係止すると共に、固定板７に螺合しているネジを締めることで両走行レール部５ａ，５ｂは固定される。
【００１３】
折畳み扉１ａ，１ｂは複数枚のパネル８，８が継手部９を介して連結しているが、先端には引き手框１０を備えている。そして、引き手框１０の上端には吊車１１を取付け、該吊車１１は上レール２に載って走行することで、折畳み扉１ａ，１ｂは折畳まれる。
【００１４】
ところで、吊車１１には概略Ｌ型の吊具１２が設けられ、該吊具１２は引き手框１０の上端と連結・固定して折畳み扉１を吊設している。吊具１２は２段階Ｌ型を形成し、繋ぎ部１４は継手軸部１５の上端にネジ止めされ、そして繋ぎ部１４の先端から下方へ延びて固定部１３を形成し、該継手軸部１５と一体に成っている引き手框１０の上端と水平固定部１３が連結・固定されている。
【００１５】
同図から明らかなように、引き手框１０は上記継手軸部１５を介してパネル８と連結されている。該吊具１２は概略Ｌ型を成し、その為に吊車１１が分断された上レール２の先端に位置している場合に、引き手框１０は該分断箇所に位置している。そして、引き手框１０は折畳み扉１の折畳み操作に際して、下端に設けているスライダーが下レールのガイド溝に遊嵌してその向きが変化しないように、同じく上レール２を走行する吊車１１の向きも変わらないように成っている。
【００１６】
このように、吊具１２を概略Ｌ型とすることで、吊車１１から中央側に引き手框１０を位置させることが出来、しかも該引き手框１０の幅寸法は小さくなる。従って、引き手框に従来のような表面板を取付ける必要はない。図１に示す実施例では、上レール２ａ，２ｂに対してクロスしたレール３は同じ高さに位置しているが、該レール３を上レール２ａ，２ｂより上方に設ける場合もある。又、上レール２を分断する箇所は必ずしも中央部に限るものではなく、装着される折畳み扉のサイズに応じて適当な位置に決めることが出来る。
【００１７】
以上述べたように、本発明の折畳み扉装置は、上レールの適当な箇所を分断して別のレールをクロスさせ、この場合に、先端の吊車から延びる吊具を概略Ｌ型とすることで引き手框の幅寸法を小さくしたものであり、次のような効果を得ることが出来る。
【００１８】
【発明の効果】
本発明は上レールを分断し、この箇所又は該箇所の上方に別のレールをクロスして設けたものである。従って折畳み扉を開いた状態でクロスするレールに吊設されたハンガーは上レールを横切って移動することが可能である。そして、折畳み扉の先端側引き手框を吊車によって吊設する吊具は概略Ｌ型を成し、その為に吊具の水平固定部に該引き手框上端が固定される。
【００１９】
従って、引き手框は吊車から先端側（中央側）に位置し、幅寸法が小さくても引き手框先端は隣り合う他の折畳み扉の引き手框先端に隙間なく当接することが出来る。そして、引き手框の幅寸法が小さくなることで、折畳み扉を折畳んで間口を開口した際には、間口幅は広くなる。又、引き手框の幅寸法が小さくなることで、折畳み扉の外観が良くなり、引き手框の幅を拡大する為に従来行なっている表面拡張板を取付ける必要もなくなる。
【図面の簡単な説明】
【図１】本発明に係る折畳み扉装置の実施例。
【図２】上レールに別のレールをクロスして設けた折畳み扉装置。
【図３】従来の折畳み扉装置。
【符号の説明】
１  折畳み扉
２  上レール
３  レール
４  レール本体
５  走行レール部
６  側片部
７  固定板
８  パネル
９  継手部
１０  引き手框
１１  吊車
１２  吊具
１３  繋ぎ部
１４  固定部
１５  継手軸部
【図１】
2005023528.tif 000003
【図２】
2005023528.tif 000004
【図３】
2005023528.tif 000005